(57)【要約】【課題】従来の画像データの管理方法においては、すべての画像データをいずれかのグループに分類することを前提としている。また、画像データは一のみのカテゴリに分類する（複数のカテゴリには属さない）ことが前提となっているが、画像データの内容によっては複数のグループに属すべき画像データもある。【解決手段】画像ファイルを複数保持し、画像ファイルが属する管理用のグループを示すグループ識別情報を画像ファイルごとに関連付し、保持されている画像ファイル一覧を表示する際に、グループ識別情報にて同一グループに属する画像ファイルはそのグループに属する画像ファイルのいずれか一を代表としてサムネイルを表示させ、グループに属さない画像ファイルはその画像ファイルのサムネイルを表示させるように制御することを特徴とする画像ファイル管理装置を提案する。【選択図】図１
2008197932.tif 000002
【特許請求の範囲】
【請求項１】
１画像分の画像データを含む画像ファイルを複数保持可能な画像ファイル保持部と、
画像ファイルが属する管理用のグループを示すグループ識別情報を画像ファイルごとに関連付可能なグループ識別情報付与部と、
画像ファイル保持部に保持されている画像ファイル一覧を表示する一覧表示部と、
一覧表示部が一覧を表示する際に、グループ識別情報にて同一グループに属する画像ファイルはそのグループに属する画像ファイルのいずれか一を代表として一覧中にサムネイルを表示させ、グループに属さない画像ファイルはその画像ファイルのサムネイルを一覧中に表示させるように一覧表示部を制御する制御部と、
を有する画像ファイル管理装置。
【請求項２】
グループ識別情報付与部は、一の画像ファイルに対して複数のグループ識別情報を関連付け可能である請求項１に記載の画像ファイル管理装置。
【請求項３】
グループ識別情報付与部は、
関連付けられるべき画像ファイルを示すサムネイル又は／及び複数の画像ファイルが属するグループを代表するサムネイルを複数選択するための選択手段と、
選択手段にて選択された複数の画像ファイルを同一グループとすることを決定するグループ決定手段と、
を有する請求項１又は２に記載の画像ファイル管理装置。
【請求項４】
１画像分の画像データを含む画像ファイルを複数保持する画像ファイルの管理方法であって、
画像ファイルが属する管理用のグループを示すグループ識別情報を画像ファイルごとに関連付するグループ識別情報付与ステップと、
保持されている画像ファイル一覧を表示する一覧表示ステップであって、前記一覧表示ステップにおいて、グループ識別情報にて同一グループに属する画像ファイルはそのグループに属する画像ファイルのいずれか一を代表として一覧中にサムネイルを表示し、
グループに属さない画像ファイルはその画像ファイルのサムネイルを一覧中に表示する一覧表示ステップと、
を有する画像ファイル管理方法。
【発明の詳細な説明】
【技術分野】
【０００１】
画像ファイルを管理用のグループに分類して一覧表示する画像ファイル管理装置に関する。
【背景技術】
【０００２】
従来、デジタルカメラで撮影した画像データなどをパソコンのハードディスク等へ記録して保存しておく際に、画像データの管理を容易とするために、画像データをいくつかのカテゴリに分類して記録しておく方法が一般的となっている。例えば特許文献１においては、デジタルカメラ等で撮影して得られたデジタル画像情報をカテゴリに応じた単位のグループに自動的に分類するための発明が開示されている。
【特許文献１】特開２００３−６７７２２公報
【発明の開示】
【発明が解決しようとする課題】
【０００３】
しかしながら、特許文献１においては、すべての画像データをいずれかのグループに分類することを前提としているが画像データの内容によってはいずれのグループにも属さないような画像データも存在しうる。また、画像データは一のみのカテゴリに分類する（複数のカテゴリには属さない）ことが前提となっているが、画像データの内容によっては複数のグループに属すべき画像データもあり、そのような場合には無理に一のカテゴリを選択して分類すると後で画像データを探す際にどこに分類したか分からなくなるなど、かえって使い勝手が悪くなるという問題もあった。
【課題を解決するための手段】
【０００４】
そこで本発明においては、１画像分の画像データを含む画像ファイルを複数保持し、画像ファイルが属する管理用のグループを示すグループ識別情報を画像ファイルごとに関連付し、保持されている画像ファイル一覧を表示する際に、グループ識別情報にて同一グループに属する画像ファイルはそのグループに属する画像ファイルのいずれか一を代表として一覧中にサムネイルを表示させ、グループに属さない画像ファイルはその画像ファイルのサムネイルを一覧中に表示させるように制御することを特徴とする画像ファイル管理装置を提案する。また、グループ識別情報を付与する際に、一の画像ファイルに対して複数のグループ識別情報を関連付け可能となっていてもよい。
【０００５】
図１は、本発明に係る画像ファイル管理装置における一覧表示方法を例示する図である。領域０１０１は、例えば画像ファイルを画像ファイル管理装置に保存した日時等の画像ファイルに関する付随的情報を表示するための領域である。また、領域０１０２は画像ファイルを一覧表示するための表示領域である。画像ファイルは一覧表示される際には、通常、サムネイル画像が表示される。マーク０１０５が付されているサムネイル０１０３は複数の画像ファイルがグルーピングされていることを表すサムネイルであり、マーク０１０５が付されていないサムネイル０１０４はいずれのグループにも属しない画像ファイルのサムネイルである。このように、画像ファイルはグルーピングされていものとグルーピングされていないものとが混在し、さらにこれらは同一の表示領域０１０２に表示される。また、複数の画像ファイルがグルーピングされていることを示すサムネイル０１０３は、そのグループに属する画像ファイルのいずれか一を代表としてサムネイル表示させるものである。よって、従来のようなフォルダ形式等で表示しないことにより、例えばグループが不要となった場合でもグループを削除したりする手間が省ける。また、画像ファイルをグルーピングする場合にも、フォルダ（グループ）を予め作成しておく等の作業が不要であり、簡単な操作によって複数の画像ファイルをグルーピングすることが可能となっている。
【発明の効果】
【０００６】
本発明の画像ファイル管理装置によれば、グルーピングした画像ファイルとグルーピングしていない画像ファイルを同列に表示することが可能であり、簡単な方法により画像ファイルのグルーピングを行なうことができる。また、一の画像ファイルを複数のグループに分類させることも可能であるため、よりユーザの感覚に沿った分類を行なうことができる。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。実施形態１は、主に請求項１、２、４などについて説明する。実施形態２は、主に請求項３などについて説明する。
（実施形態１）
【０００８】
（実施形態１：概要）本実施形態は、１画像分の画像データを含む画像ファイルを複数保持し、画像ファイルが属する管理用のグループを示すグループ識別情報を画像ファイルごとに関連付し、保持されている画像ファイル一覧を表示する際に、グループ識別情報にて同一グループに属する画像ファイルはそのグループに属する画像ファイルのいずれか一を代表としてサムネイルを表示させ、グループに属さない画像ファイルはその画像ファイルのサムネイルを表示させるように制御することを特徴とする画像ファイル管理装置について説明する。また、グループ識別情報を付与する際には一の画像ファイルに対して複数のグループ識別情報を関連付け可能であることを特徴とする画像ファイル管理装置についても説明する。
【０００９】
（実施形態１：構成）本実施形態に係る画像ファイル管理装置の機能ブロック図を図２に例示する。画像ファイル管理装置（０２００）は、「画像ファイル保持部」（０２０１）と、「グループ識別情報付与部」（０２０２）と、「一覧表示部」（０２０３）と、「制御部」（０２０４）と、を有する。
【００１０】
なお、以下に詳述する本発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インターフェイス、周辺装置などで構成されるハードウェアと、それらハードウェア上で実行可能なソフトウェアがある。ソフトウェアとしては、メモリ上に展開されたプログラムを順次実行することで、メモリ上のデータや、インターフェイスを介して入力されるデータの加工、保存、出力などにより各部の機能が実現される。（明細書の全体を通じて同様である。）
【００１１】
「画像ファイル保持部」（０２０１）は、１画像分の画像データを含む画像ファイルを複数保持する機能を有する。ここで、「画像ファイル」とは画像を構成するための画像データを含むものであるので、画像データのみから構成されていてもよいし画像データ以外の情報が含まれていてもよい。例えば、画像データが生成された日時（デジタルカメラで撮影した日時等）、画像の大きさ、画素数、解像度、ファイル形式等を示す情報が含まれている場合が考えられる。また、画像ファイルのファイル形式は特に問わない。具体的には、ＪＰＥＧ（Ｊｏｉｎｔ  Ｐｈｏｔｏｇｒａｐｈｉｃ  Ｅｘｐｅｒｔｓ  Ｇｒｏｕｐ）、ＧＩＦ（Ｇｒａｐｈｉｃｓ  Ｉｎｔｅｒｃｈａｎｇｅ  Ｆｏｒｍａｔ）、ＴＩＦＦ（Ｔａｇｇｅｄ  Ｉｍａｇｅ  Ｆｉｌｅ  Ｆｏｒｍａｔ）、ビットマップ、Ｅｘｉｆ（Ｅｘｃｈａｎｇｅａｂｌｅ  Ｉｍａｇｅ  Ｆｉｌｅ  Ｆｏｒｍａｔ）などが挙げられる。また、画像ファイルに付随して画像ファイルのサムネイルも一緒に保持していてもよい。なお、画像ファイル保持部はハードディスクや半導体メモリ等の記憶装置が該当する。特に不揮発性の記憶装置が好適であると思われるがこれに限定するものではない。さらに、画像ファイル管理装置に固定される記憶装置であってもよいし着脱可能な記憶装置であってもよい。
【００１２】
「グループ識別情報付与部」（０２０２）は、画像ファイルが属する管理用のグループを示すグループ識別情報を画像ファイルごとに関連付ける機能を有する。「画像ファイルが属する管理用のグループ」とは、すなわち画像ファイルを分類するためのグループでありユーザが任意に決定することができる。具体的には、例えば、家族旅行、運動会、誕生日、等のようにイベントごとのグループや、お父さん、お母さん、友人、等のように被写体の人物ごとのグループなどが想定される。また、グループに属する画像ファイルは複数でなくとも一つのみであってもよい。また、グループ識別情報付与部では図３に例示するような画像ファイルとグループを関連付けた情報を保持していることが想定される。図３において、「画像ＩＤ」は画像ファイルを識別するための識別子であり、「ファイル名」は画像ファイルのファイル名を示す。「グループＩＤ」は画像ファイルが属するグループを示す識別子であり、「グループ名」は画像ファイルが属するグループのグループ名である。ここでのグループ名において、‘箱根への旅行’とは家族で箱根へ旅行した際に撮影した画像ファイルであり、‘花子の誕生日’とは花子さんの誕生日のお祝いの際に撮影した画像ファイルであり、‘風景’とは自宅付近を散歩した際に撮影した画像ファイルである。また、図３においては、画像ＩＤ‘００１’と‘００２’の画像ファイルは同じグループ‘Ｇ０１（箱根への旅行）’に関連付けられており、画像ＩＤ‘００３’と‘００５’の画像ファイルは同じグループ‘Ｇ０２（花子の誕生日）’に関連付けられていることが分かる。つまり、グループ識別情報付与部は図３のような情報をデータベース等としてハードディスクや半導体メモリ等の記憶装置に保持している。なお、図３に例示した情報の構造は概念的なものであり、図３に示した構造に限定されるものではない。さらに、このような情報を実現するための方法は様々な方法があり得る。例えばデータベースによって実現することも可能であるし、各情報の関係を示すポインタによって表すことも可能である。また、情報を保持する記憶装置は不揮発性の記憶装置が好適であると思われるがこれに限定するものではない。さらに、画像ファイル管理装置に固定される記憶装置であってもよいし着脱可能な記憶装置であってもよい。
【００１３】
「一覧表示部」（０２０３）は、画像ファイル保持部に保持されている画像ファイル一覧を表示する機能を有する。一覧を表示する際には、原則、サムネイルが表示されるが、サムネイルに代えてファイル名やファイルＩＤ等であっても同様の効果がある。一覧表示部は、ディスプレイ等の表示装置および表示装置に画像ファイル一覧を表示するためのグラフィックカード、表示用プログラムなどを含む。なお、後述する制御部（０２０４）によって制御されて画像ファイル一覧を表示する。
【００１４】
「制御部」（０２０４）は、一覧表示部が一覧を表示する際に、グループ識別情報にて同一グループに属する画像ファイルはそのグループに属する画像ファイルのいずれか一を代表として一覧中にサムネイルを表示させ、グループに属さない画像ファイルはその画像ファイルのサムネイルを一覧中に表示させるように一覧表示部を制御する機能を有する。
【００１５】
図４は、制御部による制御の一例を示す概念図である。Ｐ１、Ｐ２、Ｐ３、・・・、Ｐ９は画像ファイルを示す。すなわち、最初に９つの画像ファイル（０４０１）が存在していたとする。これに対しユーザがＰ２、Ｐ３、Ｐ４、Ｐ５を一つのグループ（Ｇ１）に指定し、さらに、Ｐ７、Ｐ８を別の一つのグループ（Ｇ２）に指定したとする。この場合、一覧表示部における表示方法としては、例えば（ａ）のようにグループ化されていない各画像ファイルとグループ化された画像ファイルのサムネイルの位置関係をそのままにして表示する場合や、（ｂ）のようにグループ化された画像ファイルを先頭のほうにまとめて表示し、その後ろにグループ化されていない各画像ファイルのサムネイルを表示する方法などが考えられる。なお、図４は一例であるのでこれら以外の表示方法であってももちろん構わない。
【００１６】
また、「グループ識別情報にて同一グループに属する画像ファイルはそのグループに属する画像ファイルのいずれか一を代表としてサムネイルを表示」する場合の具体例を図５に示す。例えば、画像ファイル０５０１、０５０２、０５０３、０５０４を同一グループにグルーピングしたとすると、このうちの画像ファイル０５０１のサムネイルをその代表として（０５０５）一覧表示の際に表示する。この時、サムネイル０５０５をそのまま示したのではグルーピングされていない画像ファイル０５０１の場合と見分けがつかないため、一以上の画像ファイルがグルーピングされていることを示すマーク（０５０６）を一緒に表示するようにする。サムネイルにマーク０５０６を一緒に表示する場合には、サムネイル画像自体を加工してマーク付きのサムネイル画像を生成して表示してもよいし、表示する際だけサムネイルとマークを重畳して表示するようになっていてもよい。なお、画像ファイルがグルーピングされていることを示すためには、図５に例示したようなマーク以外にも、アイコン、文字などによって示すようになっていてもよい。なお、グループに属する画像ファイルのうち代表とする画像ファイルを選択する方法は様々に考えられる。例えば、画像ファイルの作成日時が一番古いもの若しくは新しいもの、ユーザが任意で選択する、等の方法が考えられる。
【００１７】
また、グループ識別情報付与部は、一の画像ファイルに対して複数のグループ識別情報を関連付け可能となっていてもよい。図６に具体例を示す。図４と同様にＰ１からＰ９までの画像ファイル（０６０１）があり、これらに対してＰ２、Ｐ３、Ｐ４、Ｐ５を一つのグループ（Ｇ１）に指定し、Ｐ５とＰ８を一つのグループ（Ｇ２）に指定する。すなわち画像ファイルＰ５はグループＧ１にも属しグループＧ２にも属することとなる。このように一の画像ファイルを複数のグループに分類することができる。なお、この場合も一覧表示する際には図４と同様に（ａ）、（ｂ）のような一覧表示方法が考えられる。また、このように一の画像ファイルに対して複数のグループ識別情報を関連付ける場合には、グループ識別情報付与部が保持している情報は図７のようになっていると考えられる。つまり一の画像ＩＤ（画像ファイル）に対して一以上のグループＩＤ（グループ）が関連付けられる。なお、図７に例示した情報の構造は概念的なものであり、図７の構造に限定されるものではないことは図３と同様である。さらに、このような情報を実現するための方法は様々な方法があり得る。例えばデータベースによって実現することも可能であるし、各情報の関係を示すポインタによって表すことも可能である。
【００１８】
図８は、画像ファイル一覧を表示する際のハードウェア上における処理の具体例を示す。画像ファイル（サムネイル）はハードディスクに保存されており、図３や図７に例示したような情報（ここでは、「グループ情報」と称す）は記憶装置に記憶されているとする。また、一覧表示を制御するための制御プログラムも記憶装置に保持されている。画像ファイル一覧を表示するためには、まず制御プログラムがメインメモリに展開される（０８０１）。次に、グループ情報もメインメモリに格納される（０８０２）。格納されたグループ情報に基づいて、一覧表示すべき画像ファイル（サムネイル）がハードディスクから読込まれる（０８０３）。ここでグループ化されている画像ファイルを示すサムネイルには図５にて例示したようなマークを付する等して、一覧表示用のサムネイルが生成されメインメモリに格納される。表示用サムネイルはＶｉｄｅｏ  ＲＡＭ（ＶＲＡＭ）に展開された後（０８０４）、ディスプレイ等へ一覧表示される（０８０５）。なお、図８を用いて説明したハードウェア上の処理はあくまで処理の概要を説明するものである。
【００１９】
（実施形態１：処理の流れ）図９は、本実施形態に係る画像ファイル管理装置における処理の流れを示すフロー図を例示する。
【００２０】
最初に、画像ファイル一覧を表示する旨の一覧表示命令を取得する（Ｓ０９０１）。次に、一覧表示の対象となる複数の画像ファイルがグループＩＤと関連付けられているか順次、判断していく（Ｓ０９０２）。関連付けられているとの判断である場合には、同一グループＩＤが関連付けられている画像ファイルのいずれか一を代表サムネイルとして取得する。なお、すでに同一グループにおいて代表サムネイルが取得されている場合にはここでは処理を行なわない（Ｓ０９０３）。関連付けられていないとの判断である場合には、表示対象画像ファイルのサムネイルを取得する（Ｓ０９０４）。次に、表示すべきサムネイルを全て取得したか判断する（Ｓ０９０５）。全て取得していない場合にはステップＳ０９０２に戻る。また、全て取得している場合には、サムネイルの一覧表示を行なう（Ｓ０９０６）。尚、一覧表示命令取得時点でサムネイル表示がない状態でも画面を表示し、１つのサムネイルデータ取得毎にサムネイルを表示してもかまわない。最後に、処理を終了するか否かを判断し（Ｓ０９０７）、終了しない場合にはステップＳ０９０１に戻る。
【００２１】
なお、図９のフロー図は、計算機に実行させるプログラムの処理フロー図とみなすことも可能である。さらに、このようなプログラムをフレキシブルディスク等の媒体に記録することも可能である。（明細書の全体を通じて同様である。）
【００２２】
（実施形態１：効果）本実施形態に係る画像ファイル管理装置によれば、グルーピングした画像ファイルとグルーピングしていない画像ファイルを同列に表示することが可能であるため、後述するように簡単な方法により画像ファイルのグルーピングを行なうことができる。また、一の画像ファイルを複数のグループに分類させることも可能であるため、よりユーザの感覚に応じた分類を行なうことができる。
（実施形態２）
【００２３】
（実施形態２：概要）本実施形態は、関連付けられるべき画像ファイルを示すサムネイル又は／及び複数の画像ファイルが属するグループを代表するサムネイルを複数選択するための選択手段と、選択手段にて選択された複数の画像ファイルを同一グループとすることを決定するグループ決定手段とを有する画像ファイル管理装置について説明する。
【００２４】
（実施形態２：構成）本実施形態に係る画像ファイル管理装置の機能ブロック図を図１０に例示する。画像ファイル管理装置（１０００）は、「画像ファイル保持部」（１００１）と、「グループ識別情報付与部」（１００２）と、「一覧表示部」（１００３）と、「制御部」（１００４）と、を有する。グループ識別情報付与部（１００２）は、「選択手段」（１００５）と、「グループ決定手段」（１００６）を有する。「選択手段」（１００５）と「グループ決定手段」（１００６）以外の構成については前述した通りであるので、ここでの説明は省略する。
【００２５】
「選択手段」（１００５）は、関連付けられるべき画像ファイルを示すサムネイル又は／及び複数の画像ファイルが属するグループを代表するサムネイルを複数選択する機能を有する。図１１は選択手段による選択方法の具体例を示す。まず、（ａ）に示すようにＰ１、Ｐ２、Ｐ３、・・・、Ｐ９の画像ファイル（１１０１）が存在し、これらに対してＰ２、Ｐ３、Ｐ４、Ｐ５を一つのグループ（Ｇ１）とし、Ｐ７とＰ８を別の一つのグループ（Ｇ２）とするために選択して同一グループとすることを決定したとする。すると一覧表示部においては、例えば（ｂ）のようにサムネイルが一覧表示されることとなる（１１０２）。さらに、グループＧ１を代表するサムネイルとＰ６のサムネイルを選択して同一グループとすることを決定したとすると、新たなグループＧ１としてグルーピングすることができる。すなわち、グループＧ１にはＰ２、Ｐ３、Ｐ４、Ｐ５、Ｐ６が属することとなる。これにより、一覧表示部においては（ｃ）のようにサムネイルが表示されることとなる（１１０３）。なお、ここでサムネイルＧ１をクリック等して選択した場合にはさらに展開してＧ１に属するＰ２、Ｐ３、Ｐ４、Ｐ５、Ｐ６を一覧表示するようになっていてもよい（１１０４）。
【００２６】
また、「グループ決定手段」（１００６）は、選択手段にて選択された複数の画像ファイルを同一グループとすることを決定する機能を有する。例えば、一覧表示されているサムネイルをカーソル移動等により選択し、決定ボタンにてグルーピングの決定をする場合には、カーソル移動等して選択するための処理を行なう処理機構が選択手段（１００５）に該当し、決定ボタンにてグルーピングの決定をするための処理を行なう処理機構がグループ決定手段に該当する。また、グループ決定手段によって複数の画像ファイルが同一グループとすることが決定されると、グループ識別情報付与部（１００２）が保持している図３や図７に例示した情報が更新されることとなる。
【００２７】
図１２は、複数の画像ファイルを選択して一のグループとする場合の具体例を示す。まず、（ａ）のように表示領域１２０１に画像ファイルの一覧表示がなされている。この状態でユーザが機能メニューボタン（１２０２）をクリック等して選択したとすると（ｂ）の画面表示に遷移し、グループを設定する画面になる。ここで「グループ作成」を選択すると（ｃ）の画面表示に遷移し、グルーピングする画像ファイルを選択する画面になる。ここで、例えばカーソル移動やクリック等の操作によりＰ５、Ｐ６、Ｐ７、Ｐ８、Ｐ９が選択されたとする（１２０３）。この状態でグループ化ボタン（１２０４）が選択されるとＰ５、Ｐ６、Ｐ７、Ｐ８、Ｐ９が同一グループとして設定される。すると、（ｄ）のようにサムネイルＰ４の次にＰ５、Ｐ６、Ｐ７、Ｐ８、Ｐ９のいずれか一のサムネイルがグルーピングされていることを示すマークとともに表示され（１２０５）、その後にサムネイルＰ１０以降が表示されることとなる。
【００２８】
図１３は、すでにグループ化されている画像ファイルのサムネイルとグループ化されていない画像ファイルのサムネイルを選択して一のグループとする場合の具体例を示す。まず、（ａ）に示すようにグルーピングされている画像ファイルを示すサムネイルＧ１、Ｇ２、Ｇ３の後に、グルーピングされていない画像ファイルのサムネイルＰ１、Ｐ２、・・・、Ｐ１５が表示されている。この状態でユーザが機能メニューボタン（１３０２）をクリック等して選択したとすると（ｂ）の画面表示に遷移し、グループを設定する画面になる。ここで「グループ作成」を選択すると（ｃ）の画面表示に遷移し、グルーピングする画像ファイルを選択する画面になる。ここで、例えばカーソル移動やクリック等の操作によりＧ３、Ｐ１、Ｐ２が選択されたとする（１３０３）。この状態でグループ化ボタン（１３０４）が選択されるとＧ３、Ｐ１、Ｐ２が同一グループとして設定される。すると、（ｄ）のようにサムネイルＧ３の次にサムネイルＰ３以降が表示されることとなる。
【００２９】
なお、以上の具体例に示した以外にも、すでにグループどうしを選択してグループ化する場合もあり得る。また、従来のコンピュータのオペレーションシステム等で採用されているフォルダ形式との違いは、例えばグループに属する画像ファイルが存在しなくなりグループが不要となった場合でもグループを削除したりする手間が省ける。また、画像ファイルをグルーピングする場合にも、フォルダ（グループ）を予め作成しておく等の作業が不要であり、簡単な操作によって複数の画像ファイルをグルーピングすることが可能となっている。
【００３０】
（実施形態２：その他の具体例）
【００３１】
図１４Ａ、図１４Ｂは、グループ化されている画像ファイルをグループから解除する場合の具体例を示す。まず、（ａ）に示すようにグルーピングされている画像ファイルを示すサムネイルＧ１、Ｇ２、Ｇ３の後に、グルーピングされていない画像ファイルのサムネイルＰ１以降が表示されている。なお、グループＧ３にはＰ５、Ｐ６、Ｐ７、Ｐ８、Ｐ９、Ｐ１０の画像ファイルがグルーピングされており、よって、サムネイルＰ４の次はサムネイルＰ１１となっている。ここで、サムネイルＧ３が選択されたとすると、（ｂ）の画面表示に遷移し、グループＧ３にグルーピングされている画像ファイルのサムネイルが一覧表示される。ここで、例えば画像ファイルＰ７（１４０１）をグループＧ３から除外する場合には、サムネイルＰ７（１４０１）を選択して機能メニューボタンを押下すると、（ｃ）の画面表示に遷移し、本当にＰ７をグループから解除してよいかを確認する画面が表示される。ここで、「する（ＯＫ）」が選択されると、（ｄ）の画面表示に遷移し、画像ファイルＰ７が除外されたためＰ５、Ｐ６、Ｐ８、Ｐ９、Ｐ１０が一覧表示される。この状態で初期画面に戻ると、サムネイルＰ４の次にグループから除外されたＰ７のサムネイル（１４０２）が表示されることとなる。
【００３２】
（実施形態２：処理の流れ）図１５は、本実施形態に係る画像ファイル管理装置における処理の流れを示すフロー図を例示する。
【００３３】
最初に、一覧表示されている画像ファイルのサムネイルに対して、関連付けられるべき画像ファイルを示すサムネイル又は／及び複数の画像ファイルが属するグループを代表するサムネイルが複数選択される（Ｓ１５０１）。次に、ステップＳ１５０１にて選択された複数の画像ファイルを同一グループとすることが決定される（Ｓ１５０２）。次に、ステップＳ１５０２における決定に応じてグループ識別情報が付与され、若しくは必要に応じて変更される（Ｓ１５０３）。次に、付与（変更）されたグループ識別情報に基づいて画像ファイル一覧が表示される（Ｓ１５０４）。処理を終了するか否かを判断し（Ｓ１５０５）、終了しない場合にはステップＳ１５０１に戻る。
【００３４】
（実施形態２：効果）本実施形態に係る画像ファイル管理装置によれば、画像ファイルを示すサムネイル又は／及び複数の画像ファイルが属するグループを代表するサムネイルを複数選択して同一グループとすることができる。
【図面の簡単な説明】
【００３５】
【図１】本発明に係る画像ファイル管理装置における一覧表示方法の一例図
【図２】実施形態１に係る画像ファイル管理装置の機能ブロック図
【図３】グループ識別情報付与部が保持する情報の一例図
【図４】制御部による制御の一例を示す概念図
【図５】グループに属する画像ファイルのサムネイル表示の具体例を示す図
【図６】一の画像ファイルに対して複数のグループ識別情報を関連付ける場合の一例を示す概念図
【図７】グループ識別情報付与部が保持する情報の一例図
【図８】画像ファイル一覧を表示する際のハードウェア上における処理動作の一例図
【図９】実施形態１に係る画像ファイル管理装置の処理の流れを示すフロー図
【図１０】実施形態２に係る画像ファイル管理装置の機能ブロック図
【図１１】選択手段による選択方法の一例を示す概念図
【図１２】複数の画像ファイルを選択して一のグループとする場合の一例図
【図１３】グループ化されている画像ファイルのサムネイルとグループ化されていない画像ファイルのサムネイルを選択して一のグループとする場合の一例図
【図１４Ａ】グループ化されている画像ファイルをグループから解除する場合の一例図
【図１４Ｂ】グループ化されている画像ファイルをグループから解除する場合の一例図
【図１５】実施形態２に係る画像ファイル管理装置の処理の流れを示すフロー図
【符号の説明】
【００３６】
０１０１  付随的情報を表示する領域
０１０２  画像ファイルを一覧表示する表示領域
０１０３  複数の画像ファイルがグルーピングされていることを示すサムネイル
０１０４  いずれのグループにも属しない画像ファイルのサムネイル
０１０５  グルーピングされていることを示すためのマーク
【図１】
2008197932.tif 000003
【図２】
2008197932.tif 000004
【図３】
2008197932.tif 000005
【図４】
2008197932.tif 000006
【図５】
2008197932.tif 000007
【図６】
2008197932.tif 000008
【図７】
2008197932.tif 000009
【図８】
2008197932.tif 000010
【図９】
2008197932.tif 000011
【図１０】
2008197932.tif 000012
【図１１】
2008197932.tif 000013
【図１２】
2008197932.tif 000014
【図１３】
2008197932.tif 000015
【図１４Ａ】
2008197932.tif 000016
【図１４Ｂ】
2008197932.tif 000017
【図１５】
2008197932.tif 000018